(57)【特許請求の範囲】
【請求項１】
空気圧式廃棄物搬送システムにおける方法であって、該空気圧式廃棄物搬送システムは、複数のサブシステム（１）から形成されたより広範な廃棄物搬送システムを備え、該複数のサブシステムは、該より広範な廃棄物搬送システムの廃棄物ステーション（２）へ主搬送パイプ（１０）を介して接続されており、該サブシステムは、廃棄物の少なくとも１つの投入点（６１）と、投入点（６１）に接続された廃棄物搬送パイプ（１００）と、搬送される該廃棄物を搬送空気から分離する分離装置と、また、少なくとも廃棄物の搬送中に該廃棄物搬送パイプ（１００）内で圧力差を達成する手段とを備え、該方法において、廃棄物を投入点（６１）からサブシステム（１）の蓄積タンク（１０５）へ搬送し、該蓄積タンクにおいて該廃棄物を該搬送空気から分離し、第２の段階で該サブシステムの該蓄積タンク（１０５）を空にする、方法であって、
該空気圧式廃棄物搬送システムは、該サブシステムによってモジュール式に拡大することができ、
該サブシステムに関連する該方法において、廃棄物搬送に必要な吸引効果を達成するために局所的な部分真空発生装置又は仮の部分真空発生装置を用いること、及び／又は該方法において、廃棄物搬送で必要な吸引効果を達成するために該より広範な廃棄物搬送システムの部分真空発生装置を用いること、且つ搬送空気を該主搬送パイプ（１０）内で循環させることができるように該より広範な廃棄物搬送システムの該主搬送パイプ（１０）が循環路になるように接続されることを特徴とする空気圧式廃棄物搬送システムにおける方法。
【請求項２】
該サブシステム（１）の蓄積タンクから該より広範な廃棄物搬送システムの該主搬送パイプ（１０）に沿って前方に該廃棄物ステーション（２）の該分離装置（２０）まで該廃棄物を搬送し、該分離装置において搬送される該廃棄物を該搬送空気から分離する、ことを特徴とする請求項１に記載の方法。
【請求項３】
該方法において、該循環路内で少なくとも１つのポンプ装置（２５、２６）を用いて部分真空が達成され、ポンプ装置の吸引側は分離装置（２０）に接続される、ことを特徴とする請求項１に記載の方法。
【請求項４】
該方法において、廃棄物の該投入点（６１）から搬送パイプ（１００）内に廃棄物を給送し、該投入点は廃棄物容器又は廃棄物シュートである、ことを特徴とする請求項１乃至３のいずれか１項に記載の方法。
【請求項５】
該方法において、該サブシステム（１）は街区の廃棄物搬送システムである、ことを特徴とする請求項１乃至４のいずれか１項に記載の方法。
【請求項６】
該より広範な廃棄物搬送システム、すなわち全体的なシステムが或る都市の地区の廃棄物搬送システムであることを特徴とする請求項１乃至５のいずれか１項に記載の方法。
【請求項７】
空気圧式廃棄物搬送システムにおける装置であって、該空気圧式廃棄物搬送システムは、複数のサブシステム（１）から形成されたより広範な廃棄物搬送システムを備え、該複数のサブシステムは、該より広範な廃棄物搬送システムの廃棄物ステーション（２）へ主搬送パイプ（１０）を介して接続されており、該サブシステムは、廃棄物の少なくとも１つの投入点（６１）と、投入点（６１）に接続された廃棄物搬送パイプ（１００）と、搬送される該廃棄物を搬送空気から分離する分離装置と、また、少なくとも廃棄物の搬送中に該廃棄物搬送パイプ（１００）内で圧力差を達成する手段（２５、２６）とを備え、
該空気圧式廃棄物搬送システムは、該サブシステムによってモジュール式に拡大することができ、該装置は、廃棄物を投入点（６１）からサブシステム（１）の蓄積タンク（１０５）へ搬送する手段を備え、該蓄積タンクにおいて該廃棄物が該搬送空気から分離され、該サブシステムは、局所的な部分真空発生装置又は仮の部分真空発生器と、該より広範な廃棄物搬送システムの部分真空発生装置とに接続されるように取り付けられており、搬送空気を該主搬送パイプ（１０）内で循環させることができるように、該より広範な廃棄物搬送システムの該主搬送パイプ（１０）が循環路に接続されるように取り付けられていることを特徴とする空気圧式廃棄物搬送システムにおける装置。
【請求項８】
該サブシステム（１）の該蓄積タンクから該より広範な廃棄物搬送システムの該主搬送パイプ（１０）に沿って前方に該廃棄物ステーション（２）の該分離装置（２０）まで廃棄物を搬送する手段を該装置は備え、該分離装置において搬送される該廃棄物は該搬送空気から分離される、ことを特徴とする請求項７に記載の装置。
【請求項９】
吸引側が分離装置（２０）に接続されている少なくとも１つのポンプ装置（２５、２６）が該より広範な廃棄物搬送システムの該循環路内に取り付けられている、ことを特徴とする請求項７又は８に記載の装置。
【請求項１０】
廃棄物の該投入点（６１）は廃棄物容器又は廃棄物シュートである、ことを特徴とする請求項７乃至９のいずれか１項に記載の装置。
【請求項１１】
該サブシステム（１）は街区の廃棄物搬送システムである、ことを特徴とする請求項７乃至１０のいずれか１項に記載の装置。
【請求項１２】
該より広範な廃棄物搬送システム、すなわち全体的なシステムが或る都市の地区の廃棄物搬送システムであることを特徴とする請求項７乃至１１のいずれか１項に記載の装置。
【請求項１３】
請求項７乃至１２のいずれか１項に記載の装置を備える廃棄物搬送システム。
【発明の詳細な説明】
【技術分野】
【０００１】
本発明の対象は、請求項１のプリアンブルに規定される方法である。
【０００２】
本発明の別の対象は、請求項７のプリアンブルに規定される装置である。
【０００３】
本発明の対象はまた、請求項１３のプリアンブルに規定される廃棄物搬送システムである。
【０００４】
本発明は、概して、部分真空搬送システム等の空気圧式材料搬送システムに関し、より詳細には、家庭廃棄物の搬送等の廃棄物の収集と搬送に関する。
【背景技術】
【０００５】
廃棄物が吸引によって配管内を搬送されるシステムが当該技術分野で知られている。これらのシステムでは、廃棄物は配管内の長い距離を吸引によって搬送される。特に装置は様々な施設における廃棄物の搬送に用いられる。圧力差を達成するために部分真空装置が使用されることはこれらのシステムにとって典型的であり、この装置では、部分真空が真空ポンプ又はエジェクター装置等の部分真空発生器によって搬送パイプ内で達成される。搬送パイプは通常、少なくとも１つの弁手段を備え、弁手段を開閉することによって搬送パイプ内に入る置換空気が調節される。地域の新たな建設プロジェクトの好都合な解決策のうちの１つはパイプ運搬システムによって機能する廃棄物管理である。このことは、分類された廃棄物が地下のパイプに沿って地域全体に共通の廃棄物ステーションまで吸引されることを意味する。このシステムは、清潔であり、無臭かつ無騒音であり、また従来の廃棄物管理よりも環境に優しい解決策であり、隣接するエリアの観点からすればより安全である。廃棄物の運搬に空気圧式パイプ運搬システムを用いることが決定された地域の建設現場では、通常、建設プロジェクト全体がゆっくりと段階を踏んで進むとしても、完成のために搬送配管と地域の共有の廃棄物ステーションとを作り上げる必要がある。この場合、建設プロジェクトは数年又は更には数十年続く可能性があるが、搬送配管及び廃棄物ステーションに関してシステムを完成させるように作り上げることが必要である。一方で、このシステムの配管及び廃棄物ステーションの容量は、将来的な特定の時期に実現される利用者の人数を考慮して準備が整えられている。
【発明の概要】
【発明が解決しようとする課題】
【０００６】
本発明の目的は、従来技術の解決策の欠点を回避する、材料搬送システムに関連する新しい種類の解決策を達成することである。本発明の別の目的は部分真空搬送システムに適用可能な解決策を達成することであり、この解決策によって、システムのサイズをモジュール式に増大させることが可能であり、またこの解決策では、例えば容量要件に関して不必要な、また時期尚早な段階での設備の試運転を回避することができる。
【課題を解決するための手段】
【０００７】
本発明による方法は、サブシステムに関連する方法において、材料搬送において必要な吸引効果を達成するためにそれ自身の部分真空発生装置を用いること、及び／又はこの方法において、材料搬送において必要な吸引効果を達成するためにより広範な廃棄物搬送システムの部分真空発生装置を用いること、並びに、搬送空気をこの搬送パイプ１０内で循環させることができるように、より広範なシステムの搬送パイプ１０が循環路に接続されていることを主に特徴とする。
【０００８】
本発明による方法はまた、請求項２乃至６に記載されているものを特徴とする。
【０００９】
本発明による装置は、材料を投入点６１からサブシステム１の蓄積タンク１０５に搬送する手段を当該装置が備え、このサブシステムにおいて材料が搬送空気から分離され、このサブシステムは、局所的な部分真空発生装置と、より広範な廃棄物搬送システムの部分真空発生装置とに接続されるように取り付けられていること、及び、搬送空気をこの搬送パイプ１０内で循環させることができるように、より広範なシステムの搬送パイプ１０が循環路になるよう接続されるために取り付けられていることを主に特徴とする。
【００１０】
本発明による装置はまた、請求項８乃至１２に記載されているものを特徴とする。
【００１１】
本発明による廃棄物搬送システムは、請求項１３に開示されているものを特徴とする。
【００１２】
本発明による解決策は多くの重要な利点を有する。本発明による解決策を用いると、広範な建設プロジェクトにおける廃棄物システムの初期段階のコストを、以前よりも長期間のスパンにわたってより良好に分配することができる。システムはサブシステムによってモジュール式に拡大することができる。所望であれば、本解決策は仮の部分真空発生器を各サブシステムと接続して配置することを可能にするか、又は、このシステムの使用に必要な吸引を達成するためにより広範なシステムの部分真空発生装置のみを使用する可能性を当該システムは与える。この場合、所望の搬送方法でサブシステムの廃棄物の蓄積タンクから更なる処理のために廃棄物は搬送されることができる。本発明によるシステムは確実な動作を可能にし、加えて、メインシステムの故障状況においてバックアップシステムに容易に委託できる可能性を提供する。材料搬送システムの吸引／圧力を用いることで、廃棄物が例えば運搬手段のタンクまで搬送される。この場合、運搬手段は、コンテナー又は同等物等の好適なタンクを備えるものであれば任意の運搬手段とすることができる。搬送空気の少なくとも一部が循環する循環路を含むようにシステムの配管を構成することによって、排出空気の量を低減することができる。同時にシステムのエネルギー消費量が低減する。部分真空を維持すると同時に吹き出しを維持することによって、循環路における搬送空気の効果的な循環と搬送パイプにおける材料の搬送とを達成することができる。本発明による解決策を用いると、排出空気の量を実質的に低減することが可能であり、同時に排出パイプ内の可能性のある埃の問題や微粒子の問題を低減することが可能である。本発明による解決策を用いると従来技術によって生じていた騒音の問題も実質的に低減することができる。吸引される空気の量が低減するとエネルギーの使用も低減する。本発明によるシステムの投入点を開閉することによって、搬送パイプ内への材料の効率的な搬送と搬送パイプにおける搬送とが達成され、同時にシステムの動作によって生じる騒音の影響を小さく保つことが可能である。材料搬送システムの搬送パイプを複数の動作エリア、すなわちサブ循環路からなるように構成することによって、搬送配管における材料の搬送と投入点の中身を空にして搬送パイプ内へ移すこととを効果的に構成することができる。反対方向への搬送空気の循環を計らうことによって詰まりの効果的な除去を達成することができる。搬送空気の他方向への循環の変化は環状配管において容易に構成することができる。本発明による解決策は、１つ又は複数の搬送パイプを備える従来の搬送システム及び環状配管を備える搬送システムの双方において用いるのに適している。
【００１３】
以下、本発明を、添付図面を参照してその実施形態の例を用いてより詳細に説明する。
【図面の簡単な説明】
【００１４】
【図１】本発明の一実施形態による１つのシステムを示す図である。
【図１ａ】本発明によるシステムの一部の簡略図である。
【図２】第２の動作段階にある本発明の一実施形態による１つのシステムを示す図である。
【図３】第３の動作段階にある本発明の一実施形態による１つのシステムを示す図である。
【図４】第４の動作段階にある本発明の一実施形態による１つのシステムを示す図である。
【図５】第５の動作段階にある本発明による１つのシステムを示す図である。
【図６】第６の動作段階にある本発明による１つのシステムを示す図である。
【図７】本発明による１つの全体的なシステムの概略的な簡略図である。
【図８ａ】第１の動作段階にある本発明の廃棄物ステーションの一実施形態の概略図である。
【図８ｂ】第２の動作段階にある本発明の廃棄物ステーションの一実施形態の概略図である。
【発明を実施するための形態】
【００１５】
図１乃至６は本発明による材料搬送システムのサブシステム１の動作を異なる動作段階で示す。図７は、５つのサブシステム１（Ｉ、ＩＩ、ＩＩＩ、ＩＶ、Ｖ）と、また廃棄物ステーション２と、サブシステムと廃棄物ステーションとの間の必要な搬送配管１０、１１、１２、１１４とを備える全体的なシステムを示す。
【００１６】
図１は材料搬送パイプ１００を備えるサブシステム１を示し、材料搬送パイプの側部に沿って少なくとも１つの、通常は多くの投入点６１が配置されている。投入点６１は搬送されることが意図される材料、より具体的には廃材の送り込みステーションであり、このステーションから搬送されることが意図される材料、より具体的には家庭廃棄物等の廃材が搬送システム内に給送される。送り込みステーションは廃棄物シュートとすることもでき、この廃棄物シュート内に建物の様々な階の投入開口部から材料が給送される。システムは複数の送り込みステーション６１を備えることができ、この送り込みステーションから、搬送されることを意図された材料は搬送配管１００、１００Ａ、１００Ｂ、１００Ｃ、１００Ｄ、１００Ｅ、１００Ｆ内に給送される。図において送り込みステーション６１はドットで示されており、この場合、送り込みステーションに接続している弁手段６０等の遮断手段を開閉することによって材料を投入点から搬送パイプ内へ搬送することができる。図１ａは、本発明によるシステムにおいて用いられる１つの投入点６１と、この投入点の排出弁６０とをより詳細に示している。投入点は、弁側が搬送パイプ１００に接続されている。通常、搬送配管は主搬送パイプ１００を備えており、複数の分岐搬送パイプ１００Ａ、１００Ｂ、１００Ｃ、１００Ｄ、１００Ｅ、１００Ｆが主搬送パイプに接続することを可能としており、更に複数の送り込みステーション６１が分岐搬送パイプに接続することも可能としている。図１の実施形態は主搬送パイプ１００に接続している６つの分岐搬送パイプ１００Ａ、１００Ｂ、１００Ｃ、１００Ｄ、１００Ｆ、１００Ｅ、１００Ｆを備える。送り込まれた材料は、搬送配管１００、１００Ａ、１００Ｂ、１００Ｃ、１００Ｄ、１００Ｅ、１００Ｆに沿ってサブシステム１の蓄積タンク１０５まで搬送される。蓄積タンク１０５は、サブシステム１の廃棄物スペース１２０、例えば街区に固有の廃棄物スペースに配置することができる。
【００１７】
図の実施の形態では、パイプ１０７が蓄積タンク１０５のその上部に接続されており、このパイプは部分真空源に接続することができる。１つの実施形態によると、部分真空源は廃棄物ステーション２に配置されている部分真空発生器２５、２６であり、この部分真空発生器の吸引側を、配管１０７、１１８、１１４、１０を介して蓄積タンク１０５に、またこれらの配管を介して搬送配管１００、１００Ａ、１００Ｂ、１００Ｃ、１００Ｄ、１００Ｅ、１００Ｆに接続することができる。対応して、配管１１４を介して蓄積タンク１０５の下部を搬送配管１０に接続することができる。パイプ１１４は蓄積タンク１０５とパイプ１１８との間に弁手段１１５を備える。
【００１８】
加えて、サブシステムと接続して自身の別個の部分真空源を配置する手段をサブシステム１は備えることができる。第１の接続部１１３への媒体経路１０７が蓄積タンク１０５から、すなわち図１では蓄積タンクの上部から配置されている。第２の接続部１２１への第２の媒体経路１１６が蓄積タンクの下部から配置されている。蓄積タンク１０５と第２の接続部１２１との間に第２の媒体経路１１６は弁手段１１７を備える。図の実施形態では、蓄積タンク１０５と弁１１５との間でパイプ１１４から第２の媒体経路１１６は離れる。
【００１９】
サブシステムでは、蓄積タンク１０５への吸引の作用経路を、経路１０７を介して蓄積タンクの上部へ、又は経路１１４を介して蓄積タンクの下部へ変えることができる。
【００２０】
以下、システムの動作を図１乃至６を用いて説明する。図１は分岐搬送パイプ１００Ａの１つ又は複数の材料投入点を空にすることが望ましい状況を示す。
【００２１】
部分真空発生器２５、２６の吸引側が蓄積タンクに直接又は搬送空気ダクトを介して接続されている場合、蓄積タンクに搬送パイプ１００の排出端部が更に接続され、搬送パイプ１００内で部分真空が生成される。この場合、蓄積タンクに接続している媒体経路１０７を介して搬送パイプ１００内で吸引は作用する。エリア弁（area valve）１０１Ａが主搬送パイプ１００と分岐搬送パイプ１００Ａとの間にあり、この動作段階では開いている。この場合、吸引は分岐搬送パイプ１００Ａ内においても作用することが可能である。図による場合では、投入点６１においてこの点の弁手段６０が開いている際、搬送されることが意図される材料バッチが分岐搬送パイプ１００Ａ内へ、また進んで主搬送パイプ１００内へ移送される。例えば、搬送パイプへの弁６０を開くと投入点６１を介して搬送パイプ内への可能な置換空気が流れ込む。投入点の弁６０が閉じているときは、搬送パイプ内へ置換空気を受け入れるようにライン弁（line valve）１０２Ａを開くことができるか、又は材料を空にするときにライン弁１０２Ａを開けたままにすることができ、この場合、搬送パイプ１００Ａ内を移動している空気流中に、空にされる送り込みコンテナー６１の材料が落とされる。
【００２２】
廃材は搬送配管１００Ａ、１００に沿って蓄積タンク１０５まで搬送され、この蓄積タンクにおいて搬送空気が廃材から分離され、廃材は蓄積タンク１０５内に残る（図２）。
【００２３】
空にされることを意図された全ての投入点が空にされ、分岐搬送パイプ１００Ａから搬送パイプ１００内へ材料が搬送されると、エリア弁１０１Ａを閉じることができ、次に空にされることを意図されたエリアの分岐搬送パイプ１００Ｂのエリア弁１０１Ｂ（図３）を開くことができる。図１と図２に関連する上述した方法と対応する方法でこの分岐搬送パイプの投入点の中身を空にして搬送パイプ１００Ｂ、１００内へ移して配管内を蓄積タンク１０５まで前方へ搬送した後、分岐搬送パイプのエリア弁１０１Ｂは閉じられ、例えば分岐搬送パイプ１００Ｃのエリア弁１０１Ｃ（図４）を開くことによって空にされる次のエリアへ移ることが可能である。
【００２４】
蓄積タンクが満杯になり、この蓄積タンクの中身を空にして搬送パイプ１０又は別のリザーバー、例えば運搬タンカー内に前方へ移すことが望ましい場合（図５）、弁１０４を閉じることによってサブシステムの搬送パイプ１００から蓄積タンク１０５への接続を閉じる。また、蓄積タンクの上部への、部分真空発生器２５、２６から媒体経路１０７への接続が弁手段１１９によって閉じられる。吸引効果は蓄積タンクの下部に配置されている経路１１４へ伝達され、この場合、蓄積タンクの材料は蓄積タンクから経路１１４を介して搬送パイプ１０内へ移動し始める。弁１０８及び１１０が開位置になると、置換空気パイプ１０９と媒体経路１０７とを介して置換空気は蓄積タンク１０５のその上部に受け入れられる。
【００２５】
図において材料の搬送方向と空気の進行方向とは矢印で示される。
【００２６】
駆動装置Ｍによって駆動されるウォームコンベヤー等の取出装置１０６によって蓄積タンク１０５からの材料の搬送を補助することができる。
【００２７】
代替的には、蓄積タンク１０５からパイプ１１６と接続部１２１とを介して材料は搬送することができる。この場合、接続部１２１を介して、例えば可搬式部分真空発生器（図示せず）によって吸引は達成される。当該動作段階では経路１１４の弁１１５は閉じられており、材料は接続部１２１を介してガイドされる。
【００２８】
搬送空気を接続部１１３と経路１０７とを介して蓄積タンクの上部へ循環させることによって、蓄積タンクからの材料の除去はより効率的に行うことができることも考えられる。この場合、部分真空発生器の吹き出し側は経路１０７に接続される。この場合、吹き出しを吸引とともに用いることは補助となり、且つ蓄積タンクから搬送パイプ内への材料の搬送を高める。
【００２９】
搬送パイプ内に部分真空を形成する手段２５、２６に分離装置２０、２１から搬送空気ダクト２２、２３、２４がつながっている。図８ａ、図８ｂの実施形態では、部分真空を形成する手段は２つの真空ポンプユニットを備え、これらはポンプ装置２５、２６とその駆動装置Ｍとを備える。部分真空を形成する手段を用い、搬送配管１００、１００Ａ、１００Ｂ、１００Ｃ、１００Ｄ、１００Ｅ、１００Ｆ内及び／又はそれらの一部において材料搬送に必要な部分真空が生成される。
【００３０】
図８ａによると、図７のサブシステム１（Ｉ、ＩＩ、ＩＩＩ、ＩＶ、Ｖ）から廃棄物ステーション２につながっている配管１１４、１０、１１に沿って搬送される廃材は分離装置２０まで搬送され、この分離装置において、例えば速度の低下及び遠心力に起因して搬送される材料は搬送空気から分離される。例えば必要性に従って、分離された材料は分離装置２０から廃棄物コンテナー４０等の材料コンテナーへ取り除かれ、又は更なる処理のために取り除かれる。多くの分離装置２０、２１が存在することができ、図８ａ、図８ｂにおけるように、例えば粒子分離器である２つの、すなわち第１の分離装置２０と第２の分離装置２１とが存在することができる。
【００３１】
第１の分離装置２０はダクト２２によって第２の分離装置２１に接続されており、また進んで搬送空気ダクト２３、２４によって搬送パイプ内に部分真空を形成する手段２５、２６に接続されている。図の実施形態では、部分真空を形成する手段は真空ポンプユニット等のポンプ装置２５、２６を含む。部分真空を形成する手段を用い、材料搬送に必要な部分真空が搬送配管１０、１００内及び／又はそれらの一部で生成される。真空ポンプユニットは駆動装置Ｍによって駆動される少なくとも１つの真空ポンプ２５、２６を含む。システムは循環路内で搬送空気を循環させる手段を備え、循環路の一部は搬送配管１０の少なくとも一部によって形成される。
【００３２】
図８ａ及び図８ｂに従って、廃棄物ステーション２の部分真空発生器の吸引側の効果は搬送パイプ１０内で変化させることができる。図８ａにおいてパイプ１１は搬送パイプ１０の入口パイプであり、このパイプ１１の弁１４はパイプ１９に開いており、このパイプは前方の分離装置２０までの経路を導いている。部分真空ポンプ装置の吹き出し側は、搬送パイプで、その出口パイプ１２内に吹き出すように接続することができる。搬送パイプ１０の第１の端部１１、すなわち図８ａの入口パイプは分離手段を介してポンプ装置の吸引側に接続されており、第２の端部１２、すなわち図８ａの出口側はポンプ装置の吹き出し側に接続されており、この場合、ポンプ装置の吹き出し側から環状の搬送パイプの第２の端部１２への媒体接続部が存在する。
【００３３】
図７によって示されるシステムにおいて主搬送パイプ１０は環状であり、この場合、吸引が主搬送パイプの第１の端部１１を介して構成されるか、又は第２の端部１２を介して構成されるかに応じて、主搬送パイプ１０における搬送空気の循環を変化させることができる。
【００３４】
ポンプの吹き出し側の過圧、及び／又はポンプ装置の吸引側の部分真空、及び／又は吸引効果を効果的に生成することが可能である。
【００３５】
したがって、本発明は廃棄物搬送システム等の空気圧式材料搬送システムにおける方法であって、搬送システムは、材料、より具体的には廃材の少なくとも１つの投入点６１と、投入点６１に接続することができる材料搬送パイプ１００と、搬送される材料を搬送空気から分離する分離装置と、また、少なくとも材料の搬送中に搬送パイプ１００内で圧力差を達成する手段とを備える、廃棄物搬送システム等の空気圧式材料搬送システムにおける方法に関する。本方法において、材料を投入点６１からサブシステム１の蓄積タンク１０５へ搬送し、蓄積タンクにおいて材料を搬送空気から分離し、第２の段階でサブシステムの蓄積タンク１０５を空にする。
【００３６】
１つの実施形態によると、サブシステムに関連する本方法において、材料搬送に必要な吸引効果を達成するためにそれ自身の部分真空発生装置が用いられる。
【００３７】
１つの実施形態によると、本方法において、材料搬送で必要な吸引効果を達成するためにより広範な廃棄物搬送システムの部分真空発生装置が用いられる。
【００３８】
１つの実施形態によると、サブシステム１の蓄積タンクから搬送パイプ１０に沿って前方に廃棄物ステーション２の分離装置２０まで材料を搬送し、分離装置において搬送される材料は搬送空気から分離される。
【００３９】
１つの実施形態によると、搬送空気を搬送パイプ１０内で循環させることができるように、より広範なシステムの搬送パイプ１０が循環路になるように接続されている。
【００４０】
１つの好ましい実施形態によると、本方法において、循環路内で部分真空発生器及び／又はファン等の少なくとも１つのポンプ装置２５、２６を用いて部分真空が達成され、ポンプ装置の吸引側は分離装置２０に接続される。
【００４１】
１つの好ましい実施形態によると、本方法において、材料の投入点６１から搬送パイプ１００内に材料を給送し、投入点は廃棄物容器又は廃棄物シュート等の廃棄物の投入点である。
【００４２】
１つの実施形態によると、本方法において、サブシステム１は街区等の特定のエリアの廃棄物搬送システムである。
【００４３】
１つの実施形態によると、広範なシステム、すなわち全体的なシステムが或る都市の地区等の特定のエリアの廃棄物搬送システムであり、広範なシステムは複数のサブシステム１を備える。
【００４４】
本発明はまた廃棄物搬送システム等の空気圧式材料搬送システムにおける装置であって、材料、より具体的には廃材の少なくとも１つの投入点６１と、投入点６１に接続することができる材料搬送パイプ１００と、搬送される材料を搬送空気から分離する分離装置と、また、少なくとも材料の搬送中に搬送パイプ１００内で圧力差を達成する手段２５、２６とを備える、廃棄物搬送システム等の空気圧式材料搬送システムにおける装置に関する。本装置は材料を投入点６１からサブシステム１の蓄積タンク１０５へ搬送する手段を備え、蓄積タンクにおいて材料が搬送空気から分離され、サブシステムは、局所的な部分真空発生装置と、より広範な廃棄物搬送システムの部分真空発生装置とに接続されるように取り付けられている。
【００４５】
１つの実施形態によると、サブシステム１の蓄積タンクから搬送パイプ１０に沿って前方に廃棄物ステーション２の分離装置２０まで材料を搬送する手段を本装置は備え、分離装置において搬送される材料は搬送空気から分離される。
【００４６】
１つの実施形態によると、搬送空気を搬送パイプ１０内で循環させることができるように、より広範なシステムの搬送パイプ１０が循環路に接続するように取り付けられている。
【００４７】
１つの実施形態によると、吸引側が分離装置２０に接続されている、部分真空発生器及び／又はファン等の少なくとも１つのポンプ装置２５、２６がより広範なシステムの循環路内に取り付けられている。
【００４８】
１つの実施形態によると、材料の投入点６１は廃棄物容器又は廃棄物シュート等の廃棄物の投入点である。
【００４９】
１つの実施形態によると、サブシステム１は街区等の特定のエリアの廃棄物搬送システムである。
【００５０】
１つの実施形態によると、広範なシステム、すなわち全体的なシステムが或る都市の地区等の特定のエリアの廃棄物搬送システムであり、広範なシステムは複数のサブシステム１を備える。
【００５１】
本発明はまた、請求項７乃至１２のいずれか１項に記載の装置を備える廃棄物搬送システムに関する。
【００５２】
上記で示された実施形態に限定されないが、本発明は添付の特許請求の範囲の範囲内で変えることができることが当業者に明らかである。他の特徴とともに本明細書において示された可能性のある特徴は必要であれば互いに別々に使用することもできる。
【図１】
0006012476.tif 000002
【図１ａ】
0006012476.tif 000003
【図６】
0006012476.tif 000004
【図７】
0006012476.tif 000005
【図８ａ】
0006012476.tif 000006
【図８ｂ】
0006012476.tif 000007
【図２】
0006012476.tif 000008
【図３】
0006012476.tif 000009
【図４】
0006012476.tif 000010
【図５】
0006012476.tif 000011